(57)【要約】  【課題】  主として尋常性ざ瘡の症状を改善するために用いられるメークアップ用シートセットとメークアップ方法に関し、尋常性ざ瘡の女性患者のＱＯＬ(Quality of Life) を向上させることができ、それによって化粧を続行しながら尋常性ざ瘡の症状を改善することができる、主として尋常性ざ瘡の症状改善のために用いられるメークアップ用シートセットと、そのメークアップ用シートセットを用いたメークアップ方法を提供することを課題とする。  【解決手段】  被施術者の目、鼻、唇の形態及びその形態に付随するイメージを選択するために、その目、鼻、唇の形態表示23及びイメージ表示24を記号表示25とともに複数に項目化して記載したイメージ選択シート２と、該イメージ選択シート２で選択されるべきイメージをより具体的に表示すべく、前記イメージ選択シート２に記載された記号表示25に対応する記号表示28、イメージタイトル29、及びイメージ文30が記載されたカードユニット3aが複数具備されたイメージ選択カード３とからなることを特徴とする。【選択図】  図２
2005323847.tif 000002
【特許請求の範囲】
【請求項１】
被施術者の目、鼻、唇の形態及びその形態に付随するイメージを選択するために、その目、鼻、唇の形態表示(23)及びイメージ表示(24)を記号表示(25)とともに複数に項目化して記載したイメージ選択シート(2) と、該イメージ選択シート(2) で選択されるべきイメージをより具体的に表示すべく、前記イメージ選択シート(2) に記載された記号表示(25)に対応する記号表示(28)、イメージタイトル(29)、及びイメージ文(30)が記載されたカードユニット(3a)が複数具備されたイメージ選択カード(3) とからなることを特徴とするメークアップ用シートセット。
【請求項２】
請求項１記載のメークアップ用シートセットのイメージ選択シート(2) 及びイメージ選択カード(3) に基づいて、被施術者が目、鼻、唇の形態及びその形態に付随するイメージを、項目化された記号表示とともに選択し、次に、選択されたイメージに基づいて施術者が被施術者に進言しながらメークアップを指導し、その後、指導された方法を修得しつつ被施術者がメークアップを行なうことを特徴とするメークアップ方法。
【請求項３】
被施術者の顔の形態、及び目、鼻、唇の形態、位置が表示されて、被施術者の顔の基本プロポーションを定めうるように構成された基本プロポーションシート(1) と、被施術者の目、鼻、唇の形態及びその形態に付随するイメージを選択するために、その目、鼻、唇の形態表示(23)及びイメージ表示(24)を記号表示(25)とともに複数に項目化して記載したイメージ選択シート(2) と、該イメージ選択シート(2) で選択されるべきイメージをより具体的に表示すべく、前記イメージ選択シート(2) に記載された記号表示(25)に対応する記号表示(28)、イメージタイトル(29)、及びイメージ文(30)が記載されたカードユニット(3a)が複数具備されたイメージ選択カード(3) と、前記イメージ選択シート(2) 及びイメージ選択カード(3) に基づいて選択されたイメージに基づいて、被施術者のメークアップのレシピを作成するためのレシピ作成用シート(4) とからなることを特徴とするメークアップ用シートセット。
【請求項４】
請求項３記載のメークアップ用シートセットの基本プロポーションシート(1) に基づいて、被施術者の顔の形態、目、鼻、唇の形態、位置の基本プロポーションを定め、次に請求項３記載のメークアップ用シートセットのイメージ選択シート(2) 及びイメージ選択カード(3) に基づいて、被施術者が目、鼻、唇の形態及びその形態に付随するイメージを、項目化された記号表示とともに選択し、その後、選択されたイメージに基づいて施術者が被施術者に進言しながらメークアップを指導した後、指導された方法を修得しつつ被施術者がメークアップを行なうことを特徴とするメークアップ方法。
【発明の詳細な説明】
【技術分野】
【０００１】
本発明は、メークアップ用シートセットと、そのメークアップ用シートセットを用いたメークアップ方法、主として尋常性ざ瘡の症状を改善するために用いられるメークアップ用シートセットとメークアップ方法に関する。
【背景技術】
【０００２】
周知のように、尋常性ざ瘡（にきび）は皮膚科領域の疾患の１つであり、その治療には種々の方法が試みられているが、いずれの方法で治療する場合にも、治療時期或いは尋常性ざ瘡が発症している時期にファンデーションを塗布する等の化粧を行なうことは医学上からも禁止されているのが通常である。
【０００３】
しかし、女性にとって化粧を完全に中止することは現実には困難なことであり、尋常性ざ瘡の女性患者の多くは化粧を続行しているのが現状である。ところが尋常性ざ瘡に最適なファンデーション等は未だ市販されておらず、このために症状を悪化させている症例も多い。
【０００４】
尋常性ざ瘡の予防、改善を意図した化粧料に関する下記特許文献１、２等の発明もなされているが、これらの特許文献に記載された化粧料は、必ずしも尋常性ざ瘡専用の化粧料として開発されたものではなく、保湿効果、肌荒れの予防、肌のはり、顔色のくすみの予防、シワ形成の予防等、広範な効果を意図したものである。従って、これらの発明では、化粧を続行することが尋常性ざ瘡の症状を悪化させるという医学上の原則を根本的に解決するには至らないものである。
【特許文献１】特開平11−79968 号公報
【特許文献２】特開2004−10505 号公報
【発明の開示】
【発明が解決しようとする課題】
【０００５】
本発明は、このような問題を解決するためになされたもので、尋常性ざ瘡の女性患者のＱＯＬ(Quality of Life) を向上させることができ、それによって化粧を続行しながら尋常性ざ瘡の症状を改善することができる、主として尋常性ざ瘡の症状改善のために用いられるメークアップ用シートセットと、そのメークアップ用シートセットを用いたメークアップ方法を提供することを課題とする。
【課題を解決するための手段】
【０００６】
本発明は、このような課題を解決するためになされたもので、メークアップ用シートセットに係る請求項１記載の発明は、被施術者の目、鼻、唇の形態及びその形態に付随するイメージを選択するために、その目、鼻、唇の形態表示23及びイメージ表示24を記号表示25とともに複数に項目化して記載したイメージ選択シート２と、該イメージ選択シート２で選択されるべきイメージをより具体的に表示すべく、前記イメージ選択シート２に記載された記号表示25に対応する記号表示28、イメージタイトル29、及びイメージ文30が記載されたカードユニット3aが複数具備されたイメージ選択カード３とからなることを特徴とする。
【０００７】
またメークアップ方法に係る請求項２記載の発明は、請求項１記載のメークアップ用シートセットのイメージ選択シート２及びイメージ選択カード３に基づいて、被施術者が目、鼻、唇の形態及びその形態に付随するイメージを、項目化された記号表示とともに選択し、次に、選択されたイメージに基づいて施術者が被施術者に進言しながらメークアップを指導し、その後、指導された方法を修得しつつ被施術者がメークアップを行なうことを特徴とする。
【０００８】
さらにメークアップ用シートセットに係る請求項３記載の発明は、被施術者の顔の形態、及び目、鼻、口の形態、位置が表示されて、被施術者の顔の基本プロポーションを定めうるように構成された基本プロポーションシート１と、被施術者の目、鼻、唇の形態及びその形態に付随するイメージを選択するために、その目、鼻、唇の形態表示23及びイメージ表示24を記号表示25とともに複数に項目化して記載したイメージ選択シート２と、該イメージ選択シート２で選択されるべきイメージをより具体的に表示すべく、前記イメージ選択シート２に記載された記号表示25に対応する記号表示28、イメージタイトル29、及びイメージ文30が記載されたカードユニット3aが複数具備されたイメージ選択カード３と、前記イメージ選択シート２及びイメージ選択カード３に基づいて選択されたイメージに基づいて、被施術者のメークアップのレシピを作成するためのレシピ作成用シート４とからなることを特徴とする。
【０００９】
さらにメークアップ方法に係る請求項４記載の発明は、請求項３記載のメークアップ用シートセットの基本プロポーションシート１に基づいて、被施術者の顔の形態、目、鼻、唇の形態、位置の基本プロポーションを定め、次に請求項３記載のメークアップ用シートセットのイメージ選択シート２及びイメージ選択カード３に基づいて、被施術者が目、鼻、唇の形態及び及びその形態に付随するイメージを、項目化された記号表示とともに選択し、その後、選択されたイメージに基づいて施術者が被施術者に進言しながらメークアップを指導した後、指導された方法を修得しつつ被施術者がメークアップを行なうことを特徴とする。
【発明の効果】
【００１０】
本発明によって、被施術者も気づかない魅力的な個性に合ったイメージを提案し、表現することができ、被施術者は生き生きとした自分を実感することができるので、メークアップを施している間は、肌のトラブルを忘れることができる。このため精神的ストレスも少なくなり、生体の恒常性も高まり、それによって被施術者のＱＯＬ(Quality of Life) を著しく向上させることができるという効果がある。
【００１１】
この結果、本発明をたとえば尋常性ざ瘡の女性患者に適用することにより、その尋常性ざ瘡の女性患者のＱＯＬ(Quality of Life)を向上させることができるので、尋常性ざ瘡の症状も軽減されることになり、一般に尋常性ざ瘡には良くないと認識されている化粧を続行しながらでも尋常性ざ瘡の症状を改善することができるという予期できない効果が得られた。
【発明を実施するための最良の形態】
【００１２】
一実施形態のメークアップ方法は、尋常性ざ瘡の症状改善のためのメークアップ方法として使用されるものであり、そのメークアップ方法には、次のような基本プロポーションシート１、イメージ選択シート２、イメージ選択カード３、レシピ作成用シート４を用いる。
【００１３】
基本プロポーションシート１は、被施術者が施術者のアドバイスを受けながら、自己の顔の基本的なプロポーションを定めるためのシートである。この基本プロポーションシートには、図１に示すように、顔の絵５が描かれており、頭髪の生え際６から眉７までのスペース、眉７から小鼻８までのスペース、小鼻８から顎９までのスペース、小鼻８から唇10までのスペース等が縦の点線11,12,13及び横の点線14,15,16,17,18によって区画表示されている。また小鼻と目尻とを結ぶ部分にも斜めの点線19が表示されている。また、この基本プロポーションシート１の下側には、図示しないが、顔の輪郭、眉の位置（髪の生え際からどの程度の位置か）、小鼻の位置（髪の生え際からどの程度の位置か）、口の位置・形態、目幅、鼻幅、口の大きさ、眉の長さ等の項目が記載されている。
【００１４】
イメージ選択シート２は、被施術者が自己の目、鼻、唇の形態がどのようなイメージであるかを選択するためのシートである。具体的には、図２に示すように、目、鼻、唇の大項目欄20,21,22が設けられているとともに、目については形態表示23及びそれに関連するイメージ表示24がそれぞれ複数記載され、さらにそれに対応するＡ〜Ｅ及びＭの記号表示25がなされて、項目化されている。また鼻についても形態表示23及びそれに関連するイメージ表示24がそれぞれ複数記載され、さらにそれに対応するＦ〜Ｉ及びＭの記号表示25がなされて、項目化されている。さらに唇についても形態表示23及びそれに関連するイメージ表示24がそれぞれ複数記載され、さらにそれに対応するＪ〜Ｍの記号表示25がなされて、項目化されている。
【００１５】
より具体的には次のように項目化されている。
〔目〕
（形態表示）      （イメージ表示）                （記号表示）
丸みがあり大きい    活発な要素                        Ａ
丸みがありツブラ    幼い要素                          Ｂ
横に長い            落ち着きのある要素                Ｃ
切れ長              クールな要素                      Ｄ
アーモンドアイ      魅惑的な要素                      Ｅ
標準                個性をあまりもたない整った要素    Ｍ
〔鼻〕
（形態表示）      （イメージ表示）                （記号表示）
しっかりしている    意思が強い要素                    Ｆ
大きい              エネルギッシュな要素              Ｇ
細い                上品な要素                        Ｈ
丸く小さい          幼い要素                          Ｉ
標準                個性をあまりもたない整った要素    Ｍ
〔唇〕
（形態表示）      （イメージ表示）                （記号表示）
大きく厚い          色っぽい要素                      Ｊ
大きい              活動的な要素                      Ｋ
小さい              かわいい要素                      Ｌ
標準                個性をあまりもたない整った要素    Ｍ
【００１６】
イメージ選択カード３は、上記イメージ選択シート２で目、鼻、唇等の形態やイメージを選択する上で、より具体的なイメージを把握するためのカードであり、図３に示すように複数枚のカードユニット3a，…にそれぞれ孔26が穿設されているとともに、その複数枚のカードユニット3a，…の孔26, …に綴じ具27が挿通され、綴じられることによって構成されている。それぞれのカードユニット3aには、前記イメージ選択シート２の記号表示25に対応する記号表示28が記載され、さらにその記号表示28に対応するイメージタイトル29及びイメージ文30が記載されている。
【００１７】
具体的には、次のような事項が例示的に記載されている。
（記号表示）（イメージタイトル）              （イメージ文）
Ａ        かわいいだけじゃない私        見た目は今時のカワイイ女の子。でもカワ                                        イイだけじゃありません。キュと上がった目                                        や口に、たまらない魅力を感じます。
Ｂ      大人になってもピンクが好き      やわらかな素材の服を着て、やさしい風に                                        つつまれます。オシャレな街が似合う大人の                                        女性に、かわいらしさのエッセンスを〜
Ｃ      ワンランク上の大人の香り        いつもより少し背伸びをし優雅で大人っぽ                                        い。どんな場所にも物怖じしない。品のある                                        セレブリティーなあなたを演出〜
Ｄ      鋭さの中に圧倒的な存在感        かわいいなんて今日は不必要！モノトーン                                        で洗練された服に身をつつみ、シャープでで                                        きる私。そんな私も悪くない。
Ｅ  その人は異国の香りがする人だった    日本人離れした美しさが魅力的。強さと愁                                        いを秘めたその瞳は、一度見たら忘れられな                                        いほど印象的。
Ｆ      溢れる知性、できる私            知的でカッコイイ、そんなあなたは女性の                                        憧れの存在。包容力あふれる頼れる女性、そ                                        んな人って輝いていて素敵です。
Ｇ      無造作でカッコイイ私            飾らないのがカッコイイ、そんな女性に憧                                        れた事はありませんか。ネイチャーカラーの                                        服に身をつつみ、ブロンズ肌にブラウンゴー                                        ルドがよく似合う。
Ｈ      Sweet! Sweet! Sweet!            見ているだけで甘くとろけそう〜                                                女性はいつまでたってもカワイイが好き！あ                                        なたの中のカワイイを最大限に表現してみま                                        せんか。
Ｉ  自然の中でかわいらしさを忘れる一日  大自然に囲まれて開放感たっぷり！余計な                                        飾りはすべて捨て去り、元気でハツラツとし                                        た少年のように〜
Ｊ      目覚めよ！女のフェロモン        ストリップドレスに身をつつみ、いつも以                                        上に女を意識。麝香の香りを漂わせ〜
ひとあじ違う、私を演出。
Ｋ      ベビーフェイスに危険な香り      カワイイのに色っぽい、そんなギャップが                                        たまらない！  今日は悪戯な小悪魔気分で、                                        夜の街にくりだそう〜
Ｌ      シックでセンスのいい私          個性的な美しさで勝負！  周りの人と一緒                                        なんておもしろくない。古いフランス映画の                                        ワンシーンに迷い込んだみたい〜
印象的でセンスがよい。
Ｍ      自然体で美しい私                自然の中で日常を忘れ、ありのままの自分                                        に戻る飾らない私。洗いざらしのシャツがよ                                        く似合う、大人の女性の素敵な休日の始まり                                        〜
【００１８】
レシピ作成用シート４は、上記基本プロポーションシート１で定められた顔の基本的なプロポーション、及びイメージ選択シート２やイメージ選択カード３で選択されたイメージに基づいて、被施術者のレシピを作成するためのシートで、このレシピ作成用シート４には図４に示すように顔の絵31が描かれており、唇の部分や頬の部分に着色できるようにされている。
【００１９】
以上のような基本プロポーションシート１、イメージ選択シート２、イメージ選択カード３、レシピ作成用シート４を用いて、次に尋常性ざ瘡の症状改善のためのメークアップ方法について説明する。
【００２０】
本実施形態における尋常性ざ瘡の症状改善のためのメークアップ方法は、尋常性ざ瘡患者のＱＯＬを向上させ、症状改善を目的としたメイクアップシステムであって、一般に化粧を禁止されている尋常性ざ瘡患者の心を癒し、喜びをもたらすことでＱＯＬを向上させ、症状を軽減させることを意図している。
【００２１】
ここで、ＱＯＬとはクオリティ・オブ・ライフ（quality of life)（生活の質）のことである。元来、ＱＯＬは経済状態や職業、住居等の生活環境まで包含した広い概念を持つ用語であったが、近年では、医学的見地からの生活の質を意味する用語として用いられ、本発明においても、健康や病気との関連で使われる「Health related  ＱＯＬ」を意味する。この医学的見地からのＱＯＬは、疾患を有する者のＱＯＬであり、医療者側からみた客観的な成績（各種検査値等）に加えて、患者側からみた精神、心理、社会活動状況等を総合的に判断して得られる満足度の指標である。ＱＯＬの評価方法としては、主観的健康度をアンケート調査により聞き取り、その結果を数量化する方法等が採られている。
【００２２】
本実施形態のメークアップ方法に際しては、本人も気づかない魅力的な個性に合ったイメージを提案する。個性に合ったイメージを表現することにより、被施術者は生き生きとした自分を実感することができるため、メークアップを施している間は、肌のトラブルを忘れることができる。精神的ストレスも少なくなり、生体の恒常性も高まり、症状が軽減されることになる。イメージの選択は、ゲーム的要素があり、簡単で楽しいものである。従って一般に行なわれているトラブルを隠すネガティブな化粧から、本実施形態では個性を生かすポジティブな化粧への転換を図ることができる。
【００２３】
このような前提の下に本実施形態のメークアップ方法について具体的に説明する。本実施形態のメークアップ方法は、メークアップカウンセリング、イメージ選択、メークアップ指導、メークアップ習得の４つの過程からなる。
【００２４】
（メークアップカウンセリング）
先ず、施術者は被施術者に対して通院期間や最近の症状等を聴取した後、被施術者の個性に合ったイメージを提案し、そのイメージを表現することにより、トラブルを隠すネガティブな化粧から、個性を生かすポジティブなメークアップへの転換を図るメークアップ方法であることを説明する。
【００２５】
次に、施術者は、基本プロポーションシート１に被施術者の顔の特徴を描く。これにより、被施術者は、目、鼻、口の各部の大きさ、形、バランスの個々が持つイメージを知り、今まで、自分が気づかなかったチャームポイントを発見することができる。
【００２６】
たとえば図１の例では、全的な特徴として、顔の輪郭が卵形であり、頭髪の部分を除く顔全体のスペースが、１／３ずつに区画して把握されることを確認する。
より具体的には、眉は髪の生え際から顔全体のスペースの約１／３の箇所に存在し、小鼻は髪の生え際から顔全体のスペースの約２／３の箇所に存在し、その鼻から顎までのスペース（顔全体のスペースの１／３である）をさらに３等分した上から１／３の箇所に口裂の線の部分が存在することを確認する。
【００２７】
さらに、鼻幅が目幅と略同じであり、口の大きさは虹彩の内側の位置まで至り、さらに眉の長さが、目頭の真上から始まって、小鼻と目尻を結んだ延長線上まで至っていることを確認する。
【００２８】
（イメージ選択）
次に、イメージ選択シート２とイメージ選択カード３とを用いて、被施術者が自分のイメージの選択を行なう。イメージ選択シート２には、図２に示すように目、鼻、唇の形態が項目化して記載されているため、被施術者は、目についてＡ〜Ｅ及びＭの項目からいずれか１つを選択し、鼻についてＦ〜Ｉ及びＭの項目からいずれか１つを選択し、唇についてＪ〜Ｍの項目からいずれか１つを選択する。
【００２９】
ただし、この選択は、施術者が客観的に行なう必要はなく、あくまで被施術者が主観的に行なう。被施術者が自分のイメージの選択を主観的に行なう上で、このイメージ選択シート２のみならず、イメージ選択カード３を併用することで、被施術者が主体となって自己のイメージを選択しているという意識が高まることとなる。
【００３０】
たとえば、目についてのＡ〜Ｅの項目から、いずれかを被施術者が選択するに際し、被施術者の目の形態が丸みを帯びている場合であって、Ａ、Ｂ、Ｍのいずれであるか迷っているような場合において、Ａ、Ｂ、Ｍに対応するイメージ選択カード３の項目を参照する。
【００３１】
Ａは〔かわいいだけじゃない私〕のイメージタイトルが表示され、「見た目はカワイイ今時の女の子。でもカワイイだけじゃありません。キュと上がった目や口に、たまらない魅力を感じます。」のイメージ文が記載されている。またＢは〔大人になってもピンクが好き〕のイメージタイトルが表示され、「やわらかな素材の服を着て、やさしい風につつまれます。オシャレな街が似合う大人の女性に、かわいらしさのエッセンスを〜」のイメージ文が記載されている。さらにＭは〔自然体で美しい私〕のイメージタイトルが表示され、「自然の中で日常を忘れ、ありのままの自分に戻る飾らない私。洗いざらしのシャツがよく似合う、大人の女性の素敵な休日の始まり〜」のイメージ文が記載されている。
【００３２】
被施術者は、イメージ選択シート２で自分の目の形態を主観的に選択するだけでなく、イメージ選択シート２の項目に対応するイメージ選択カード３の項目の記載内容が、自分の選択しようとするイメージに合致しているか、或いは自分の好みに合致しているか等をチェックし、たとえばＡを選択する。
【００３３】
この場合、イメージ選択シート２のＡの項目が実際に被施術者の目の形態に合致しているか、或いはイメージ選択カード３のＡの項目の記載内容が被施術者のイメージに合致しているかの客観的な判断は必要ではなく、被施術者の主観的な判断で選択がなされればよい。要は、被施術者が自分の個性に合ったと認識するイメージを提案でき、表現できればよいのである。
【００３４】
鼻や唇の項目についても、同様にしてイメージ選択シート２及びイメージ選択カード３から自分のイメージに合った項目を選択する。
【００３５】
（メークアップ指導）
次に、上記のようにイメージ選択シート２及びイメージ選択カード３で選択したイメージを基にして、施術者がレシピ作成用シート４でレシピを作成する。この場合、選択されたイメージに合うように、施術者がレシピ作成用シート４に描かれた顔の頬の部分や唇の部分等に所望の色で着色する。また、必要に応じて、どのような化粧料を用いて顔のどの部分に塗布するか等をメモとしてレシピ作成用シート４の余白部分に記載することも可能である。たとえば、どの種類の何色のファンデーションを頬のどの部分にどの程度のスペースで塗布するか、或いはどの種類の何色の口紅を唇に塗布するか等である。そして、レシピ作成用シート４に作成されたレシピを基にして、施術者が指導しながら被施術者が自分でメークアップする。
【００３６】
この場合、上記イメージ選択シート２及びイメージ選択カード３で被施術者が選択したイメージを尊重するのは当然であるが、本実施形態のメークアップ方法はあくまで尋常性ざ瘡の症状改善を目的としているので、尋常性ざ瘡の部位を隠すのではないものの、肌の赤みを緩和させる色を提案すること、すなわちなるべく赤みが目立たない方法をとるのが望ましい。
【００３７】
（メークアップ習得）
上記のように作成したレシピ作成用シート４を被施術者は使用者はレシピを持ち帰り、被施術者が毎日のメークアップを行なう場合の参考にする。すなわち、施術者の指導を受けながら作成したレシピ作成用シート４に基づいて、被施術者は自身でメークアップを行なう。これによって被施術者自身に適したメークアップを習得することができるのである。
【００３８】
以上のように、本実施形態では、被施術者のチャームポイントをみつけ、そこをより印象的にすることで、尋常性ざ瘡が発症している肌の部位から視線がそらされることとなるようにメークアップを行なうので、メークアップされた印象的な部位に視線がいくこととなり、尋常性ざ瘡の部位が目立たなくなる。そして、被施術者が自分の個性に合ったと認識するイメージを提案でき、表現できるので、上記のようなイメージの選択をすることによって、被施術者は生き生きとした自分を実感することができ、メークアップを施している間は、肌のトラブルを忘れることができる。また精神的ストレスも少なくなり、生体の恒常性も高まり、症状が軽減されることになるのである。
【００３９】
尚、上記実施形態では、イメージ選択シート２として、上述のように目についてはＡ〜Ｅ、Ｍの記号表示25と、それに対応する上述のような形態表示23及びイメージ表示24を表示したものを用いたが、形態表示23やイメージ表示24の具体的な表示内容は上記実施形態に限定されるものではなく、また記号表示25の種別も上記実施形態の英文字に限定されるものではなく、記号表示25の項目数も上記実施形態に限定されるものでない。要は、目、鼻、唇の形態表示23及びイメージ表示24を記号表示25とともに複数に項目化してイメージ選択シート２に記載されていればよいのである。
【００４０】
さらに、上記実施形態では、イメージ選択カード３として、複数枚のカードユニット3a，…にそれぞれ孔26を穿設し、その複数枚のカードユニット3a，…の孔26, …に綴じ具27を挿通して構成したものを用いたが、イメージ選択カード３の構成も該実施形態に限定されるものではなく、上記実施形態のような綴じ具27等を用いずに、たとえば複数枚のカードユニット3aをクリップやステープラー等で綴じたものであってもよく、複数枚のカードユニットを具備させるための手段は問わない。
【００４１】
さらに、上記実施形態では、イメージ選択カード３を構成するカードユニット3aに、Ａ〜Ｍの記号表示28と、それに対応する上述のようなイメージタイトル29及びイメージ文30が記載されているものを用いたが、イメージタイトル29やイメージ文30の具体的な表示内容は上記実施形態に限定されるものではなく、また記号表示28の種別も上記実施形態の英文字に限定されるものではなく、記号表示28の項目数も上記実施形態に限定されるものでない。要は、前記イメージ選択シート２で選択されるべきイメージをより具体的に表示すべく、該イメージ選択シート２に記載された記号表示25に対応する記号表示28、イメージタイトル29、及びイメージ文30が、カードユニット3aに記載されていればよいのである。      
【００４２】
さらに、基本プロポーションシート１やレシピ作成用シート４の構成も上記実施形態に限定されるものではない。
【００４３】
さらに、上記実施形態では、メークアップ用シートセットとして、基本プロポーションシート１、イメージ選択シート２、イメージ選択カード３、及びレシピ作成用シート４の４種類のシートやカードからなるものを用いたが、基本プロポーションシート１やレシピ作成用シート４は本発明のメークアップ用シートセットに必須のものではなく、イメージ選択シート２とイメージ選択カード３のみでメークアップ用シートセットが構成されていてもよい。この場合は被施術者がイメージ選択シート２とイメージ選択カード３に基づいて自己のイメージを選択し、それに基づいて施術者がメークアップを行なうことになるが、被施術者のメークアップ習得を容易ならしめるためには、上記のような基本プロポーションシート１やレシピ作成用シート４をもメークアップ用シートセットの構成部材として用いるのが好ましい。
【００４４】
尚、本発明のメークアップ用シートセット及びメークアップ方法は、上述のように尋常性ざ瘡の症状改善のために用いることを主眼とするものであるが、尋常性ざ瘡のような皮膚疾患が発症していない場合、すなわち一般のメークアップの際に用いることも可能である。そのような一般のメークアップの場合でも、被施術者が気づかない魅力的な個性に合ったイメージを提案し、表現することができ、被施術者は生き生きとした自分を実感することができるので、メークアップを施している間は、肌のトラブル等を忘れることができ、これが精神的ストレスの解消に寄与するとともにや生体の恒常性を高めることとなる。従って、このような一般のメークアップの場合でも、被施術者のＱＯＬ(Quality of Life) を向上させることができるのである。
【実施例】
【００４５】
以下、本発明の実施例について説明する。
〔メークアップの方法〕
同意の得られた尋常性ざ瘡の女性患者８例を対象に、治療と並行して２週間メークアップを継続し、前後の皮膚症状とＱＯＬや精神状態をGHQ30 、ＳＴＡＪ、Skindex-16等を用いて検討した。ざ瘡に対するメークアップは、皮疹の色調を補正することで目立たなくし、さらにアイメークや口紅等で数は減少し、GHQ30 、ＳＴＡＪでの状態不安、Skindex-16での感情や症状の項目での改善を認めた。
【００４６】
〔結論〕
尋常性ざ瘡患者でもフルメークは可能であり、患者の精神状態やＱＯＬに対する影響を考慮すると、悪化させない化粧法を指導することが重要と考えた。
【産業上の利用可能性】
【００４７】
本発明のメークアップ用シートセットと、そのメークアップ用シートセットを用いたメイクアップ方法は、主として尋常性ざ瘡の症状改善のために、尋常性ざ瘡の女性患者を被施術者とし、そのメイクアップのカウンセラー等を施術者とする場合に用いられる他、一般のメークアップの場合にも広く適用することができる。
【図面の簡単な説明】
【００４８】
【図１】基本プロポーションシートを示す平面図。
【図２】イメージ選択シートを示す平面図。
【図３】イメージ選択カードを示す平面図。
【図４】レシピ作成用シートを示す平面図。
【符号の説明】
【００４９】
１…基本プロポーションシート    ２…イメージ選択シート
３…イメージ選択カード          ４…レシピ作成用シート
【図１】
2005323847.tif 000003
【図２】
2005323847.tif 000004
【図３】
2005323847.tif 000005
【図４】
2005323847.tif 000006